(57)【要約】【課題】二重ドアの開閉装置を現地で格段に容易に組み立てできる二重ドアの連動装置を提供すること。【解決手段】プーリベース１１の所定箇所に、間隔をおいて第１および第２プーリ１２,１３が固定され、さらに、ワイヤ１４が、両プーリ１２,１３に掛け渡され、さらに、ワイヤ１４の一部分に第１ドア用ハンガ取付部１８が固定される一方、プーリベース１１の所定箇所に、間隔をおいて第２ドア用第１ハンガ取付部１６および第２ドア用第２ハンガ取付部１７が固定されてなる二重ドアの連動装置１を用いて、二重ドアの開閉装置を現地で組み立てる。【選択図】図１
2008007993.tif 000002
【特許請求の範囲】
【請求項１】
プーリベースと、
上記プーリベースに固定された第１プーリと、
上記プーリベースに固定された第２プーリと、
上記第１プーリと上記第２プーリとの間に掛け渡された無端部材と、
上記無端部材の一部分に固定された第１ドア用ハンガ取付部と、
上記プーリベースに固定された第２ドア用ハンガ取付部と
を備えることを特徴とする二重ドアの連動装置。
【発明の詳細な説明】
【技術分野】
【０００１】
本発明は、二重ドアの連動装置に関し、二重ドアの自動開閉装置、二重ドアの半自動開閉装置（開き動作が手動である一方、閉じ動作が自動である二重ドアの開閉装置）、または、手動による二重ドアの開閉装置に使用されれば好適な二重ドアの連動装置に関する。
【背景技術】
【０００２】
従来、二重ドアを有する二重ドアの開閉装置としては、特開２００２−２５６７６３号公報に記載されているものがある。
【０００３】
この二重ドアの開閉装置は、全閉状態おいて、第１ドアと第２ドアの夫々が重なり部分をもった状態で、第１および第２ドアで、建物の開口を閉鎖するようになっている。上記本体ベースは、上記建物に対して移動不可になっている。上記本体ベースは、上記建物に直接または部材を介して間接的に固定されている。
【０００４】
上記プーリベースは、本体ベースに対して本体ベースの延在方向に移動可能な構成になっている。上記プーリベースには、第１プーリと第２プーリとが配設され、両プーリ間には、ループ状の歯付ベルトが張架されている。この歯付ベルトの第１個所は、連結具を介して上記本体ベースに固定されている。上記第１ドアは、吊下具および連結具を介して、上記プーリを境にして上記歯付ベルトの第１個所と反対側の第２個所に固定されている。一方、第２ドアは、吊下具を介して上記プーリベースに固定されている。
【０００５】
このドアの開閉装置は、第１ドアの本体ベースに対する移動速度が、第２ドアの本体ベースに対する移動速度の２倍になっている。例えば、ドアの全開状態から全閉状態にドアを移動させるとき、第１ドアが第２ドアの２倍の速度で全閉方向に移動して、第１および第２ドアで上記開口を閉鎖するようになっている。
【０００６】
この二重ドアの開閉装置は、調節手段を有し、調節手段によって、プーリベースに配設された第１および第２プーリの位置をドアの移動方向に調整することができるようになっている。
【０００７】
詳細には、上記調節手段による調整は、プーリベースに配設される第１プーリと第２プーリをスライド移動可能にした状態で、２つの調整ねじのうちの一方を緩め他方を締めることによって、第１プーリと第２プーリの軸間距離を一定に保ちながら行う。これによって、第１プーリと第２プーリのプーリベースにおける配設位置を、ドアの移動方向に上記歯付ベルトの歯ピッチより小さい寸法で調節し、固定手段であるボルトとナットによって、第１プーリと第２プーリを所望の位置に固定する。
【０００８】
このように、第２ドアに固定されたプーリベースに配設した調節手段によって、第２ドアのプーリベースに配設される各プーリの位置をドアの移動方向に上記歯付ベルトの歯ピッチより小さい寸法で調節するようになっている。このことから、本体ベースに配設される第１ドア用の各プーリと、プーリベースに配設される第２ドア用の各プーリとの相対位置関係を変えることが可能となり、第１ドアと第２ドアの相対位置関係を変えることができるようになっている。
【０００９】
このように、第１ドアと第２ドアを連動させる構成をとりながら、第１ドアの閉位置を所望の位置に微調整することが可能となるため、閉状態で第１ドアの縦框と枠体との隙間がなくなるように設置調整することができる。また、閉状態における第１ドアと第２ドアの縦框の重なり状態を適正に微調整することが可能となるため、第１ドアの縦框と第２ドアの縦框の位置が前後で重なった状態で、開口部が閉鎖されるように設置調整することができるようになっている。
【００１０】
しかしながら、上記従来の二重ドアの開閉装置では、閉状態で第１ドアの縦框と枠体との隙間がないようにする調整、および、閉状態における第１ドアと第２ドアの縦框の重なりの状態を適正な寸法にする調整に、上記調節手段による精密かつ非常に複雑な調整が必要になるという問題がある。
【００１１】
また、従来、本体ベース、プーリベース、第１、第２プーリ、歯付ベルト、および、第１、第２ドアを有する二重ドアの開閉装置の組み立てるのに、現地で、上記プーリベースに第１プーリと第２プーリとを固定し、更に、両プーリ間に、無端部材を張架するという作業が必要になる。また、無端部材に、第１ドア用ハンガ取付部を固定すると共に、プーリベースに、第２ドア用ハンガ取付部を固定する作業が必要になる。このことから、上述の調節手段による精密かつ非常に複雑な調整の前に、現地で、歯付ベルト長さの精密な調整や、ベルトの張力の精密な調整等の複雑かつ精密な作業が必要になるという問題がある。
【００１２】
すなわち、従来、現地でのドアの開閉装置の取付施行工事には、現地での取付部品点数が多く、調整も複雑でかつ精密性が要求され、現地でのドアの開閉装置の取付施行工事に、技術、熟練が必要になるという問題がある。
【特許文献１】特開２００２−２５６７６３号公報
【発明の開示】
【発明が解決しようとする課題】
【００１３】
そこで、本発明の課題は、二重ドアの開閉装置を現地で格段に容易に組み立てできる二重ドアの連動装置を提供することにある。
【課題を解決するための手段】
【００１４】
上記課題を解決するため、この発明の二重ドアの連動装置は、
プーリベースと、
上記プーリベースに固定された第１プーリと、
上記プーリベースに固定された第２プーリと、
上記第１プーリと上記第２プーリとの間に掛け渡された無端部材と、
上記無端部材の一部分に固定された第１ドア用ハンガ取付部と、
上記プーリベースに固定された第２ドア用ハンガ取付部と
を備えることを特徴としている。
【００１５】
尚、第２ドア用ハンガ取付部は、プーリベースと一体であっても別体であっても良い。
【００１６】
本発明を用いて二重ドアの開閉装置を組み立てる場合、プーリベースの正確な所定箇所に予め第１および第２プーリが固定され、さらに、無端部材が、所定の張力を有した状態で、両プーリに掛け渡されている本発明の二重ドアの連動装置を使用することになるから、現地で、プーリベースに対して第１および第２プーリが精密に位置決めされるように、かつ、この位置決めに関連するが、無端部材の張力が所定の大きさになるように、プーリベースに第１および第２プーリを固定すると共に、無端部材を第１および第２プーリに掛け渡す必要がない。すなわち、従来必要であった、現地施工時の無端部材の長さの調整や、無端部材の張力の調整を省略できるから、現地での組み立ての施工時間を大幅に削減できる。
【００１７】
また、第１ドア用ハンガ取付部が、無端部材の所定位置に、正確に固定されていると共に、第２ドア用ハンガ取付部が、プーリベースの所定位置に、正確に固定されている本発明の二重ドアの連動装置を使用することになるから、従来と異なり、二重ドアの開閉装置を組み立てるのに、現地において、無端部材における第１ドア用ハンガ取付部の取付位置の検討および調整を行う必要がなく、かつ、プーリベースにおける第２ドア用ハンガ取付部の取付位置の検討および調整を行う必要がない。
【００１８】
そして、本発明を使用した場合、現地で、上記第１および第２ドア用ハンガ取付部の夫々に、ドアが固定された状態のハンガを固定するだけで、閉状態で第１ドアの縦框と枠体との隙間がないようにする調整、および、閉状態における第１ドアと第２ドアの縦框の重なりの状態を適正な寸法にする調整を行うことができる。
【００１９】
すなわち、本発明を使用して二重ドアの開閉装置を組み立てる場合には、精密な調整を必要とする作業を大幅に省略できて、従来と比較して、二重ドアの開閉装置を、現地で格段に容易に組み立てることができ、かつ、二重ドアの開閉装置を、精密に組み立てることができる。
【発明の効果】
【００２０】
本発明を使用すると、従来と比較して、二重ドアの開閉装置を現地で格段に容易に組み立てることができ、かつ、二重ドアの開閉装置を、精密に組み立てることができる。また、熟練を要していない人でも、現地で、二重ドアの開閉装置を組み立てることができる。
【発明を実施するための最良の形態】
【００２１】
以下、本発明を図示の形態により詳細に説明する。
【００２２】
図１は、本発明の一実施形態の二重ドアの連動装置１を示す図である。
【００２３】
この二重ドアの連動装置１は、後の図２で詳述する二重ドアの開閉装置の一部を構成する。この二重ドアの連動装置１は、工場等の製造施設で予め製造され、二重ドアの開閉装置の他の部品と共に、二重ドアの開閉装置が設置される現地に送られるようになっている。
【００２４】
この二重ドアの連動装置１は、プーリベース１１、第１プーリ１２、第２プーリ１３、および、無端部材の一例として鋼製のワイヤ１４を備える。また、二重ドアの連動装置１は、第１ドア用ハンガ取付部１８と、二つの第２ドア用ハンガ取付部、すなわち、第２ドア用第１ハンガ取付部１６および第２ドア用第２ハンガ取付部１７とを備える。
【００２５】
上記プーリベース１１は、細長い板状の鋼材からなっている。上記プーリベース１１は、断面矩形状の筒部材の４つの矩形状の外側平面部のうちの一つの平面部の幅方向の中央部分を、筒部材の延在方向に端から端まで切除したような形状をしている。
【００２６】
第１プーリ１２は、プーリベース１１の一端部に固定されている。詳細には、上記プーリベース１１の内部空間における一方の端部領域に、上記一つの平面部における開口の幅方向の寸法よりも大きな幅方向の寸法を有し、かつ、矩形状の表面を有する鋼製の第１固定板２４を配置する。そして、図１に３１で示すボルトで、第１プーリ１２と、第１固定板２４とを固定する一方、図１に３２および３３で示すボルトで、第１固定板２４を、プーリベース１１に固定する。このようにして、第１プーリ１２を、プーリベース１１に固定する。
【００２７】
第２プーリ１３は、プーリベース１１の他端部に固定されている。詳細には、上記プーリベース１１の内部空間における他方の端部領域に、上記一つの平面部における開口の幅方向の寸法よりも大きな幅方向の寸法を有し、かつ、矩形状の表面を有する鋼製の第２固定板２５を配置する。そして、図１に３６で示すボルトで、第２プーリ１３と、第２固定板２５とを固定する一方、図１に３７および３８で示すボルトで、第２固定板２５を、プーリベース１１に固定する。このようにして、第２プーリ１３を、プーリベース１１に固定する。
【００２８】
ループ状のワイヤ１４は、第１プーリ１２と第２プーリ１３との間に掛け渡されている。ワイヤ１４の長さを、適切な長さに予め調整し、かつ、第１プーリ１２と、第２プーリ１３との距離を、所定の距離に調整することによって、ワイヤ１４の張力を、所定の張力に調整している。
【００２９】
上記第２ドア用第１ハンガ取付部１６は、表面矩形の板状の鋼材からなっている。上記第２ドア用第１ハンガ取付部１６は、プーリベース１１の上記開口を有する一つの平面部に対向する平面部における一端部に、ボルト４６,４７によって、第２ドア用第１ハンガ取付部１６におけるプーリベース１１側とは反対側の表面から、ネジ込み固定されている。
【００３０】
上記第２ドア用第１ハンガ取付部１６における一方の組の互いに平行な二つの縁は、プーリベース１１の延在方向に略平行に延びている一方、第２ドア用第１ハンガ取付部１６における他方の組の互いに平行な二つの縁は、プーリベース１１の延在方向に垂直な方向に略平行に延びている。上記第２ドア用第１ハンガ取付部１６は、プーリベース１１から、プーリベース１１の延在方向に垂直な方向にはみ出しており、このはみ出した部分に、ハンガを取り付けるようになっている。詳細には、上記はみ出した部分は、ハンガ取付用の穴４０,４１を有している。このハンガ取付用の穴４０,４１を用いて、上記はみ出した部分に、ハンガを固定するようになっている。
【００３１】
上記第２ドア用第２ハンガ取付部１７は、表面矩形の板状の鋼材からなっている。上記第２ドア用第２ハンガ取付部１７は、プーリベース１１の上記開口を有する一つの平面部に対向する平面部に、ボルト４８,４９によって、第２ドア用第２ハンガ取付部１７におけるプーリベース１１側とは反対側の表面から、ネジ込み固定されている。
【００３２】
上記第２ドア用第１ハンガ取付部１６と第２ドア用第２ハンガ取付部１７とのプーリベース１１の延在方向の距離は、第２ドア（図１に図示せず）における第２ドアの移動方向の幅よりも一定寸法以上大きく設定されている。
【００３３】
上記第２ドア用第２ハンガ取付部１７における互いに平行な二つの縁は、プーリベース１１の延在方向に略平行になっている一方、第２ドア用第２ハンガ取付部１７におけるもう一組の互いに平行な二つの縁は、プーリベース１１の延在方向に垂直な方向に略平行になっている。上記第２ドア用第２ハンガ取付部１７は、プーリベース１１から、プーリベース１１の延在方向に垂直な方向にはみ出しており、このはみ出した部分に、ハンガを取り付けるようになっている。詳細には、上記はみ出した部分は、ハンガ取付用の穴４４,４５を有している。このハンガ取付用の穴４４,４５を用いて、上記はみ出した部分に、ハンガを固定するようになっている。
【００３４】
上記第１ドア用ハンガ取付部１８は、ループ状のワイヤ１４の一部分に固定されている。ワイヤ１４の上記一部分は、プーリ１２,１３を境にして、ワイヤ１４における、第２ドア用ハンガ取付部１６,１７の上記はみ出した部分側に位置している。上記第１ドア用ハンガ取付部１８は、ワイヤ１４の上記一部分が移動すると、その一部分の移動に付随して上記一部分と同じ速度で上記一部分と同じ距離移動するようになっている。
【００３５】
尚、上記実施形態の二重ドアの連動装置１では、固定板２４,２５が配置されるプーリベース１１の内部空間が、プーリベース１１におけるその延在方向の一端から他端まで延びているから、プーリベース１１における第１および第２プーリ１２,１３の再取付およびプーリベース１１の延在方向の取付位置の再調整が容易である。したがって、予め取付られることがわかっている第２ドアの規格寸法に基づいて、プーリベース１１に予め固定されている第１および第２プーリ１２,１３の固定位置を、第２ドアの移動方向の幅が多少変更された場合においても、容易に微調整することができる。
【００３６】
図２は、上記実施形態の二重ドアの連動装置１を有する二重ドアの開閉装置を示す図である。この二重ドアの開閉装置は、半自動の開閉動作を行うようになっている。すなわち、この二重ドアの開閉装置は、開き動作を手動で行う一方、閉じ動作を自動的に行うようになっている。詳述しないが、バネ等の付勢部材で所定の力で第１ドア５０を全閉方向に常時付勢することにより、二重ドアの半自動の開閉動作を実現している。また、詳述しないが、二重ドアの開閉装置は、制動装置を有し、閉じブレーキ、バックチェック、ディレード等の機能を有している。
【００３７】
以下に、図２を用いて、二重ドアの開閉装置について簡単に説明した後、上記二重ドアの連動装置１を用いた二重ドアの開閉装置の現地における組立方法の一例を説明する。尚、図２において、９０は、建物の開口の縁を示し、Ｗは、ドアの全開状態における開口幅である有効寸法を示している。また、ａ１は、ドアの全閉状態における第１ドア５０の全閉側の縁を示し、ａ２は、ドアの全開状態における第１ドア５０の全閉側の縁を示している。
【００３８】
この二重ドアの開閉装置は、二つのドア、すなわち、第１ドア５０および第２ドア５１を連動させて、建物の開口を開閉するようになっている。上記第１ドア５０は、枠体の上部にある本体ベース６０に設置された第１レール６１に第１ドア用ハンガ（吊下具）６３,６４の戸車６６,６７を介して走行可能に吊下げられている。
【００３９】
一方、第２ドア５１は、本体ベース６０に第１レール６１と並行するように設置された第２レール６８に、第２ドア用ハンガ７０,７１の戸車７２,７３を介して走行可能に吊り下げられている。第２ドア５１は、第２ドア用ハンガ７０,７１を介して、上記実施形態の二重ドアの連動装置１のプーリベース１１の第２ドア用第１および第２ハンガ取付部（図１参照）に固定されている。このプーリベース１１には、上述のように、第１プーリ１２と第２プーリ１３とが配設され、両プーリ１２,１３間にワイヤ１４が張架されている。このワイヤ１４は、本体ベース６０に連結具７９によって固定されると共に、第１ドア用ハンガ取付部１８に固定されたハンガ６４を介して第１ドア５０に連結されている。
【００４０】
この二重ドアの開閉装置は、全閉状態において、第１ドア５０の縦框と枠体との隙間がなく、かつ、第１ドア５０の縦框と第２ドア５１の縦框の位置が前後で重なった状態で、開口部が閉鎖されるようになっている。一方、この二重ドアの開閉装置は、全開状態においては、壁を有する収納部に第１ドア５０と第２ドア５１の位置が前後で重なった状態で収まり、建物の開口の大部分が開放されるようになっている。
【００４１】
この二重ドアの開閉装置を、例えば、現地で以下のように組み立てる。
【００４２】
先ず、本体ベース６０を、建物の開口の上方に適切に取り付ける。次に、第１ドア５０が取付られている状態の第１ドア用ハンガ（吊下具）６３,６４を、本体ベース６０のレール６１に、戸車６６,６７を介して走行可能に吊下げる。続いて、第２ドア５１が固定されている状態の第２ドア用ハンガ７０,７１を、レール６８に、戸車７２,７３を介して走行可能に吊り下げる。続いて、第２ドア用ハンガ７０,７１を、上記実施形態の二重ドアの連動装置１の第２ドア用第１および第２ハンガ取付部に固定し、続いて、上記実施形態の二重ドアの連動装置１の第１ドア用ハンガ取付部を、第１ドア用ハンガ６４に固定する。最後に、第１および第２ドア５０,５１を、図２に矢印Ａで示すドアの全開方向に移動させた後、第１ドア５０の全開方向側の縁と、第２ドア５１の全開方向側の縁とが、一致している状態で、ワイヤ１４におけるプーリ１２,１３よりも鉛直方向の上方に位置する一部分を、連結具７９によって本体ベース６０に固定して、ドアの開閉装置を組み立てる。
【００４３】
図３は、上記プーリベース１１の動作と、第１ドア５０の動作との関係を示す模式図である。図示しない人が第１ドア５０を全開方向に引っ張って、全閉位置から第１ドア５０を、図３に矢印Ａで示す全開方向に移動させると、ワイヤ１４におけるプーリ１２,１３よりも鉛直方向下方に位置する第１ドア連結部分８０が、第１ドア５０と同じ速度で第１ドア５０と同じ距離、矢印Ａに示す全開方向に移動する。そのとき、ワイヤ１４の上記連結部分８０が、第２プーリ１３を矢印Ａ方向に引っ張ることに起因して、プーリベース１１が、矢印Ｂに示す方向に、ワイヤ１４の上記連結部分８０の速度の１／２の速度で移動する。すなわち、プーリベース１１に固定されている第２ドア（図３に図示せず）が、ワイヤ１４の上記連結部分８０の速度の１／２の速度で移動する。このようにして、第１ドア５０および第２ドアが、全開位置で略同じ位置に位置する一方、全閉位置で、第１ドア５０が第２ドアよりも全閉側に位置するようにしている。
【００４４】
本実施形態の二重ドアの連動装置１を用いて二重ドアの開閉装置を組み立てる場合、プーリベース１１の正確な所定箇所に予め第１および第２プーリ１２,１３が固定され、さらに、ワイヤ１４が、所定の張力を有した状態で、両プーリ１２,１３に掛け渡されている本実施形態の二重ドアの連動装置１を使用することになるから、現地で、プーリベース１１に対して第１および第２プーリ１２,１３が精密に位置決めされているように、かつ、この位置決めに関連するが、ワイヤ１４の張力が所定の大きさになるように、ワイヤ１４の長さを調整し、かつ、プーリベース１１に第１および第２プーリ１２,１３を固定すると共に、ワイヤ１４を第１および第２プーリ１２,１３に掛け渡す必要がない。すなわち、従来必要であった、施工時のワイヤ１４の長さの調整や、ワイヤ１４の張力の調整を省略できるから、現地での組み立ての施工時間を大幅に削減できる。
【００４５】
また、第１ドア用ハンガ取付部１８が、ワイヤ１４の所定位置に、正確に固定されていると共に、第２ドア用ハンガ取付部１６,１７が、プーリベース１１の所定位置に、正確に固定されている本実施形態の二重ドアの連動装置１を使用することになるから、従来と異なり、二重ドアの開閉装置を組み立てるのに、ワイヤ１４における第１ドア用ハンガ取付部１８の取付位置の検討および調整を行う必要がなく、かつ、プーリベース１１における第２ドア用ハンガ取付部１６,１７の取付位置の検討および調整を行う必要がない。
【００４６】
すなわち、本実施形態の二重ドアの連動装置１を使用した場合、現地で、第１および第２ドア用ハンガ取付部１６,１７,１８の夫々に、ドア５０,５１が固定されている状態のハンガ６３,６４,７０,７１を固定するだけで、従来、非常に複雑でかつ精密性を要求されていた次の調整、すなわち、閉状態で第１ドア５０の縦框と枠体との隙間がないようにする調整、および、閉状態における第１ドア５０と第２ドア５１の縦框の重なりの状態を適正な寸法にする調整、を行うことができる。
【００４７】
したがって、本実施形態の二重ドアの連動装置１を使用して二重ドアの開閉装置を組み立てる場合には、精密な調整を必要とする作業を大幅に省略できて、従来と比較して、二重ドアの開閉装置を、現地で格段に容易に組み立てることができ、かつ、二重ドアの開閉装置を、精密に組み立てることができる。したがって、高い技術および熟練を要していない人でも、二重ドアの開閉装置を組立できる。
【００４８】
さらには、上記実施形態の二重ドアの連動装置１を使用した場合、従来、無端部材が歯付ベルトであるときに生じていた複雑な微調整、すなわち、歯付ベルトのピッチ毎の移動という複雑な微調整を行う必要がない。
【００４９】
また、本実施形態の二重ドアの連動装置１を使用した場合、図２に示すように、二重ドアの連動装置１のプーリベース１１の幅方向が、鉛直方向に一致する構成であるから、調整を正面から容易に行うことができる。
【００５０】
尚、上記実施形態の二重ドアの連動装置１は、開き動作を手動で行う一方、閉じ動作を自動的に行う二重ドアの半自動開閉装置に組み込まれていた。しかしながら、本発明の二重ドアの連動装置は、開き動作および閉じ動作の両方を自動的に行う二重ドアの自動開閉装置に組み込まれるようになっていても良く、また、ドアの開き動作と閉じ動作とを、共に手動で行う二重ドアの開閉装置に組み込まれるようになっていても良い。
【００５１】
また、上記実施形態の二重ドアの連動装置１では、固定板２４,２５を用いて、第１および第２プーリ１２,１３を、プーリベース１１に固定したが、固定板を省略して、第１および第２プーリを、直接プーリベースに固定しても良い。また、この発明では、プーリベースの形状は、例えば、単なる平板形状等であっても良く、プーリおよびハンガ取付部を固定できる形状であれば如何なる形状であっても良い。
【００５２】
また、上記実施形態の二重ドアの連動装置１では、二つの第２ドア用ハンガ取付部、すなわち、第２ドア用第１ハンガ取付部１６および第２ドア用第２ハンガ取付部１７を有していたが、この発明では、一つまたは三つ以上の第２ドア用ハンガ取付部を有していても良い。
【００５３】
また、上記実施形態の二重ドアの連動装置１では、無端部材が、ワイヤ１４であったが、この発明では、無端部材は、丸ベルトであっても良く、無端部材は、金属製のチェーン等でも良い。無端部材として、ゴム製の丸ベルトを使用した場合、組み付け作業時の安全性と、取り扱いの容易性を確保できる。また、丸ベルトの弾力性によって、反転開き時などの音が軽減する事が期待でき、更に、制動機構として、ラック・ピニオン機構（例えば、特開２００４−２６３５４６号公報参照）を使用している場合には、ラックとピニオンの噛み合い時の突入音が軽減されることが期待できる。
【図面の簡単な説明】
【００５４】
【図１】本発明の一実施形態の二重ドアの連動装置を示す図である。
【図２】上記実施形態の二重ドアの連動装置を有する二重ドアの開閉装置を示す図である。
【図３】上記二重ドアの連動装置のプーリベースの動作と、二重ドアの開閉装置の第１ドアの動作との関係を示す模式図である。
【符号の説明】
【００５５】
１  二重ドアの連動装置
１１  プーリベース
１２  第１プーリ
１３  第２プーリ
１４  ワイヤ
１６  第２ドア用第１ハンガ取付部
１７  第２ドア用第２ハンガ取付部
１８  第１ドア用ハンガ取付部
５０  第１ドア
５１  第２ドア
【図１】
2008007993.tif 000003
【図２】
2008007993.tif 000004
【図３】
2008007993.tif 000005